(57)【要約】  【課題】簡単な回路構成でファンモータの消費電力と騒音を低減できるディスク装置を提供する。  【解決手段】スピンドルモータ１１を駆動するためのドライバＩＣ１２の出力ラインＳＰ＋，ＳＰ−に、逆流防止用ダイオードＤ３，Ｄ４を介してファンモータ１４を接続し、スピンドルモータ１１とファンモータ１４を共通のドライバＩＣ１２により駆動する。光ディスク１０の記録時または再生時にスピンドルモータ１１が回転すると、これに連動してファンモータ１４が回転し、ファン１５が回転して装置内部の温度上昇を抑制する。記録または再生が終了してスピンドルモータ１１が停止すると、これに連動してファンモータ１４も停止する。【選択図】  図２
2007073152.tif 000002
【特許請求の範囲】
【請求項１】
光ディスクを回転させるためのスピンドルモータと、このスピンドルモータを駆動するドライバＩＣと、このドライバＩＣを制御するメインＩＣとを有し、前記メインＩＣからドライバＩＣへ与えられる制御電圧に基づき、前記ドライバＩＣの一対の出力ラインの電位差に応じて前記スピンドルモータの回転制御を行うディスク装置において、
前記ドライバＩＣの一対の出力ラインに、逆流防止用のダイオードを介して、冷却用のファンを回転させるためのファンモータが接続され、
前記ファンモータは、前記出力ラインの電位差に応じて回転が制御され、
前記メインＩＣは、光ディスクの記録または再生が開始されると、前記ドライバＩＣを駆動して、前記スピンドルモータを回転させるとともにファンモータを回転させ、光ディスクの記録または再生が終了すると、前記ドライバＩＣを停止して、前記スピンドルモータを停止させるとともにファンモータを停止させることを特徴とするディスク装置。
【請求項２】
ディスクを回転させるためのディスクモータと、このディスクモータを駆動する駆動手段と、この駆動手段を制御する制御手段とを有し、前記制御手段から駆動手段へ与えられる制御電圧に基づき、前記ディスクモータの回転制御を行うディスク装置において、
前記駆動手段の出力ラインに、冷却用のファンを回転させるためのファンモータが接続され、１つの駆動手段により前記ディスクモータとファンモータとを連動して回転させるようにしたことを特徴とするディスク装置。
【請求項３】
請求項２に記載のディスク装置において、
前記制御手段は、ディスクの記録時または再生時に、前記ディスクモータを回転させるとともにファンモータを回転させ、記録または再生が終了すると、前記ディスクモータを停止させるとともにファンモータを停止させることを特徴とするディスク装置。
【発明の詳細な説明】
【技術分野】
【０００１】
本発明は、ＤＶＤレコーダのようなディスク装置に関し、特に、冷却用のファンを備えたディスク装置に関するものである。
【背景技術】
【０００２】
ＣＤやＤＶＤなどの光ディスクに対して記録再生を行うディスク装置においては、光ピックアップやモータなどの熱源から発生する熱によって機器内部が異常高温になるのを防止するため、冷却用のファンを内蔵したものがある。
【０００３】
図４は、冷却用ファンを備えたディスク装置の一例を示す電気ブロック図である。１０はＣＤやＤＶＤなどの光ディスク、２０は光ディスク１０に対して情報の読取りや書込みを行うディスクリードライト部、２１は光ディスク１０から読み取った信号や光ディスク１０に書き込む信号を処理する信号処理部、２２は光ディスク１０を回転させたり停止させたりするディスク駆動部、２３は図示しない冷却用のファンを回転させたり停止させたりするファン駆動部、２４はディスク装置のフロントパネルに設けられた操作部、２５は同じくフロントパネルに設けられた表示部、２６はＲＯＭやＲＡＭ等のメモリから構成される記憶部、２７はリモコン２８からの無線信号を受信するリモコン受信部、２９はディスク装置の動作を制御するマイクロコンピュータからなる制御部、３０は各部へ電源を供給する電源部である。
【０００４】
後掲の特許文献１には、このような冷却用ファンを備えたディスク装置が記載されている。本特許文献１では、スピンドルモータを駆動する第１のドライバと、冷却ファン用モータを駆動する第２のドライバとを設け、コントローラから第１および第２のドライバへ制御信号を与えることにより、各ドライバでモータへの供給電流量を調整して、ファンモータがスピンドルモータの回転速度に比例した回転速度で回転するようにしている。
【０００５】
また、特許文献２には、スピンドルモータを第１のスイッチを介して電源に接続するとともに、ファンモータを第２のスイッチを介して電源に接続し、同一電源によりスピンドルモータおよびファンモータが駆動されるようにしたたモータ駆動回路が記載されている。本特許文献２では、最初に第２のスイッチが投入されてファンモータが駆動され、その後一定時間が経過すると第１のスイッチが投入されてスピンドルモータが駆動されるようになっている。
【特許文献１】特開２０００−３６１８８号公報（段落００１２〜００１４、図１、図２）
【特許文献２】特開平１１−６９７１４号公報（段落００１０〜００１４、図５、図６）
【発明の開示】
【発明が解決しようとする課題】
【０００６】
図４に示した従来のディスク装置においては、冷却用のファンは、電源のＯＮ／ＯＦＦに連動して駆動されるようになっている。すなわち、リモコン２８の電源スイッチを操作してディスク装置をパワーオン状態にすると、電源部３０からファン駆動部２３へ電源が供給され、ファンモータが駆動されてファンが回転する。また、リモコン２８の電源スイッチを操作してディスク装置をパワーオフ状態にすると、電源部３０からファン駆動部２３への電源供給が断たれ、ファンモータが停止してファンが止まる。
【０００７】
しかしながら、このようなファン駆動方式では、パワーオンとなった後、ディスクの再生や記録を行っていない状態、すなわち光ピックアップやスピンドルモータが動作していない状態でも、ファンモータが回転するため、電力が無駄に消費されるという問題がある。また、ディスク装置とテレビ・ビデオデッキ等が一体となった複合機においては、テレビやビデオ等を視聴している間もファンが回り続けるため、騒音により不快感を与えるという問題がある。
【０００８】
一方、特許文献１の方式では、ファンモータをスピンドルモータと連動して回転させることができるので、上述した不具合は解消されるが、スピンドルモータ駆動用のドライバと、ファンモータ駆動用のドライバとを必要とするため、部品点数が増えてコストアップになるという欠点がある。また、特許文献２では、スピンドルモータとファンモータとは別々のスイッチにより時間差をもって駆動されるので、両モータを連動して同時に回転・停止させることはできず、スピンドルモータが回転していないのにファンモータが回転することになって、消費電力の無駄が発生する。
【０００９】
本発明は、上述した課題を解決するものであって、その目的とするところは、簡単な回路構成でファンモータの消費電力と騒音を低減できるディスク装置を提供することにある。
【課題を解決するための手段】
【００１０】
本発明は、ディスクを回転させるためのディスクモータと、このディスクモータを駆動する駆動手段と、この駆動手段を制御する制御手段とを有し、制御手段から駆動手段へ与えられる制御電圧に基づき、ディスクモータの回転制御を行うディスク装置において、駆動手段の出力ラインに、冷却用のファンを回転させるためのファンモータを接続し、１つの駆動手段によりディスクモータとファンモータとを連動して回転させるようにしたものである。
【００１１】
本発明においては、ディスクモータの駆動手段の出力によりファンモータが駆動されるので、ディスクモータが回転すると、これに連動してファンモータが回転し、ディスクモータが停止すると、これに連動してファンモータが停止する。このため、ディスクモータが回転している場合のみファンモータが駆動され、ファンが回転して装置内部の温度上昇を抑制するとともに、ディスクモータが回転していない場合は、ファンモータを駆動せずファンを停止状態にするので、温度上昇のない状態で無駄な電力が消費されるのを回避することができる。また、複合機においては、テレビやビデオ等を視聴している間はファンが停止しているので、騒音により視聴者に不快感を与えることもない。さらに、本発明では、ディスクモータとファンモータに共通の駆動手段を１つ設けるだけでよいので、回路構成が簡単となりコストを低減することができる。
【００１２】
また、本発明においては、ディスクの記録時または再生時に、ディスクモータを回転させるとともにファンモータを回転させ、記録または再生が終了すると、ディスクモータを停止させるとともにファンモータを停止させる。これにより、ディスクの再生を行っている間やディスクへ録画を行っている間のみファンモータが回転し、ファンモータの回転を必要最小限にして消費電力および騒音の低減を図ることができる。
【００１３】
本発明は、典型的には、光ディスクに対して記録再生を行うディスク装置に適用される。例えば、光ディスクを回転させるためのスピンドルモータと、このスピンドルモータを駆動するドライバＩＣと、このドライバＩＣを制御するメインＩＣとを有し、メインＩＣからドライバＩＣへ与えられる制御電圧に基づき、ドライバＩＣの一対の出力ラインの電位差に応じてスピンドルモータの回転制御を行うディスク装置に適用することができる。この場合、ドライバＩＣの一対の出力ラインに、逆流防止用のダイオードを介して、冷却用のファンを回転させるためのファンモータが接続され、ファンモータは、上記出力ラインの電位差に応じて回転が制御されるように構成される。そして、メインＩＣは、光ディスクの記録または再生が開始されると、ドライバＩＣを駆動して、スピンドルモータを回転させるとともにファンモータを回転させ、光ディスクの記録または再生が終了すると、ドライバＩＣを停止して、スピンドルモータを停止させるとともにファンモータを停止させる。
【発明の効果】
【００１４】
本発明によれば、ディスクモータが回転している場合のみファンモータが駆動され、ディスクモータが回転していない場合はファンモータが駆動されないので、ファンモータの消費電力および騒音を有効に抑制することができるとともに、モータの駆動手段が１つで済むため、回路構成が簡単となりコストを低減することができる。
【発明を実施するための最良の形態】
【００１５】
以下、本発明の実施形態につき、図を参照しながら説明する。
【００１６】
図１は、本発明に係るディスク装置の全体的な構成を示した電気ブロック図である。図１の構成は、図４の構成と基本的に同じであり、図４と同一部分には同一符号を付してある。図１において図４と相違する点は、図４では、制御部２９がディスク駆動部２２とファン駆動部２３を別個に制御するのに対し、図１では、制御部２９がディスク駆動部２２を介してファン駆動部２３を制御するようになっていることである。その他の構成については図４と同じであるので、詳細な説明は省略する。
【００１７】
図２は、本発明に係るディスク装置の要部を示した回路図である。１０は図１でも示したＣＤやＤＶＤなどの光ディスク、１１は光ディスク１０を回転させるためのスピンドルモータ、１２はスピンドルモータ１１を駆動するドライバＩＣ、１３はドライバＩＣ１２を制御するメインＩＣ、１４はドライバＩＣ１２により駆動されるファンモータ、１５はファンモータ１４の駆動により回転する冷却用のファン、Ｄ１〜Ｄ４は逆流防止用ダイオードである。スピンドルモータ１１と、逆流防止用ダイオードＤ１，Ｄ２と、ドライバＩＣ１２とは、図１におけるディスク駆動部２２を構成している。また、ファンモータ１４と、逆流防止用ダイオードＤ３，Ｄ４とは、図１におけるファン駆動部２３を構成している。また、メインＩＣ１３は、図１における制御部２９の一部を構成している。
【００１８】
メインＩＣ１３はマイクロコンピュータから構成され、リモコン２８での操作に基づく指令信号を受けて、ドライバＩＣ１２へ所定の制御電圧を出力する。なお、メインＩＣ１３は、スピンドルモータ１１やファンモータ１４の制御以外にも、光ピックアップ（図示省略）のサーボ制御など種々の制御を行うが、本発明では直接関係がないので、図２ではそれらの制御ラインは省略してある。
【００１９】
ドライバＩＣ１２は、公知のＤＣモータ駆動回路から構成され、メインＩＣ１３からの制御電圧を受けて、一対の出力ラインＳＰ＋，ＳＰ−に所定の電圧を出力する。例えば、出力ラインＳＰ＋にはＤＣ６Ｖが出力され、出力ラインＳＰ−にはＤＣ２Ｖが出力される。そして、これらの各出力の電位差により、逆流防止用ダイオードＤ１〜Ｄ４を介して、スピンドルモータ１１とファンモータ１４を駆動する。各モータ１１，１４の回転速度や回転方向は、出力ラインＳＰ＋，ＳＰ−間の電位差に応じて変化する。したがって、メインＩＣ１３からドライバＩＣ１２へ与える制御電圧に応じて出力ラインＳＰ＋，ＳＰ−間の電位差を調整することにより、スピンドルモータ１１とファンモータ１４の回転を制御することができる。スピンドルモータ１１としては、例えばブラシ付きＤＣモータが用いられる。また、ファンモータ１４としても、ブラシ付きＤＣモータが用いられる。スピンドルモータ１１とファンモータ１４とは同一のモータであってもよいし、異なるモータであってもよい。
【００２０】
以上の構成において、光ディスク１０は本発明におけるディスクの一実施形態をなし、スピンドルモータ１１は本発明におけるディスクモータの一実施形態をなし、ドライバＩＣ１２は本発明における駆動手段の一実施形態をなし、メインＩＣ１３は本発明における制御手段の一実施形態をなしている。
【００２１】
次に、上述したディスク装置の動作について説明する。リモコン２８の電源スイッチをＯＮにすると、電源部３０から各部へ電源が供給されてディスク装置はパワーオン状態となる。しかし、この状態ではドライバＩＣ１２は未動作であり、ファンモータ１４は駆動されない。光ディスク１０をディスク装置にセットし、リモコン２８で再生または記録の操作を行うと、それらの指令を受けたメインＩＣ１３からドライバＩＣ１２に所定の制御電圧が与えられる。これによってドライバＩＣ１２が駆動され、出力ラインＳＰ＋，ＳＰ−間に現れる電圧により、スピンドルモータ１１が回転する。そして、ディスクリードライト部２０および信号処理部２１により、光ディスク１０に対する再生または記録の処理が行われる。また、ドライバＩＣ１２が駆動されることにより、スピンドルモータ１１の回転と連動して、ファンモータ１４が回転する。これにより、ファン１５が回転して機器内部を冷却し、光ピックアップやスピンドルモータ１１での発熱による温度上昇を抑制する。再生または記録の動作が終了すると、終了通知を受けたメインＩＣ１３はドライバＩＣ１２の駆動を停止する。この結果、スピンドルモータ１１は停止し、これと連動してファンモータ１４も停止する。
【００２２】
図３は、以上述べた動作を表したフローチャートであって、メインＩＣ１３により実行される手順を示している。ステップＳ１では、ディスク装置がパワーオン状態となったか否かを判定する。リモコン２８の電源スイッチをＯＮにしてパワーオン状態になると（ステップＳ１：ＹＥＳ）、次に、光ディスク１０の記録または再生の指令が与えられたか否かを判定する（ステップＳ２）。リモコン２８で記録または再生の操作が行われると（ステップＳ２：ＹＥＳ）、それらの指令を受けたメインＩＣ１３は、ドライバＩＣ１２へ所定の制御電圧を与えてドライバＩＣ１２を駆動し（ステップＳ３）、スピンドルモータ１１を回転させるとともに（ステップＳ４）、ファンモータ１４を回転させる（ステップＳ５）。次に、記録または再生が終了したか否かを判定する（ステップＳ６）。記録または再生が終了していなければ（ステップＳ６：ＮＯ）、ステップＳ３へ戻ってステップＳ３〜Ｓ６を反復し、スピンドルモータ１１およびファンモータ１４の回転を継続する。記録または再生が終了すれば（ステップＳ６：ＹＥＳ）、ドライバＩＣ１２の駆動を停止し（ステップＳ７）、スピンドルモータ１１を停止させるとともに（ステップＳ８）、ファンモータ１４を停止させる（ステップＳ９）。
【００２３】
以上のように、上記実施形態においては、スピンドルモータ１１を駆動するドライバＩＣ１２の出力によりファンモータ１４が駆動されるので、スピンドルモータ１１が回転すると、これに連動してファンモータ１４が回転し、スピンドルモータ１１が停止すると、これに連動してファンモータ１４が停止する。このため、スピンドルモータ１１が回転している場合のみファンモータ１４が駆動され、ファン１５が回転して装置内部の温度上昇を抑制するとともに、スピンドルモータ１１が回転していない場合は、ファンモータ１４を駆動せずファン１５を停止状態にするので、温度上昇のない状態で無駄な電力が消費されるのを回避することができる。また、複合機においては、テレビやビデオ等を視聴している間はファン１５が停止しているので、騒音により視聴者に不快感を与えることもない。さらに、ドライバＩＣ１２は、スピンドルモータ１１とファンモータ１４に共通のものを１つ設けるだけでよく、スピンドルモータ１１とファンモータ１４のそれぞれに個別にドライバＩＣを設ける必要がないので、回路構成が簡単となりコストを低減することができる。また、光ディスク１０の再生を行っている間や光ディスク１０へ録画を行っている間のみファンモータ１４が回転するので、ファンモータ１４の回転を必要最小限にして消費電力および騒音の低減を図ることができる。
【００２４】
上述した実施形態では、ディスク装置として光ディスク１０に対して記録や再生を行うものを例に挙げたが、本発明は、これ以外にハードディスクに対して記録や再生を行うディスク装置にも適用することができる。
【図面の簡単な説明】
【００２５】
【図１】本発明に係るディスク装置の全体的な構成を示した電気ブロック図である。
【図２】本発明に係るディスク装置の要部を示した回路図である。
【図３】本発明に係るディスク装置の動作を表したフローチャートである。
【図４】冷却用ファンを備えたディスク装置の一例を示す電気ブロック図である。
【符号の説明】
【００２６】
１０  光ディスク
１１  スピンドルモータ
１２  ドライバＩＣ
１３  メインＩＣ
１４  ファンモータ
１５  ファン
Ｄ１〜Ｄ４  逆流防止用ダイオード
ＳＰ＋，ＳＰ−  出力ライン
【図１】
2007073152.tif 000003
【図２】
2007073152.tif 000004
【図３】
2007073152.tif 000005
【図４】
2007073152.tif 000006